(57)【要約】  【課題】  押しボタンの先端位置が装置本体から側面側に突出しないように配置して、装置本体前方からの見栄えをよくし、また押しボタンの破損のおそれを少なくし、さらに輸送中の取り扱いも容易にする。  【解決手段】  メモリカード１０のスロット口４１を備えるとともにスロット口４１の近傍にメモリカード１０を取り出すための押しボタン４２を備えた画像表示装置において、スロット口４１を装置本体の左右いずれかの側面または上下いずれかの面に配置するとともに、突出状態の押しボタン４２の上端を装置本体の前面外周縁の位置よりも内側に後退させて配置する。【選択図】  図２
2005198042.tif 000002
【特許請求の範囲】
【請求項１】
メモリカードの挿入スロット部を装置背面に備えるとともに前記挿入スロットの近傍にメモリカード取出し用の押しボタンを備えた画像表示装置において、
前記押しボタンはボタンの押出し操作によって前記スロットに挿入されたメモリカードを取出すことが可能であり、
突出状態の前記押しボタンが前記装置の画面表示部を正面から見たときに視認できないようにするための手段を設けたことを特徴とする画像表示装置。
【請求項２】
メモリカードの挿入スロット部を装置背面に備えるとともに前記挿入スロット部の近傍にメモリカード取出し用の押しボタンを備えた画像表示装置において、
前記押しボタンはボタンの押出し操作によって前記スロット部に挿入されたメモリカードを取出すことが可能であり、
突出状態の前記押しボタンの上端を前記装置の前面外周縁の位置よりも装置内側に位置するように配置したことを特徴とする画像表示装置。
【請求項３】
メモリカードの挿入スロット部を装置背面に備えるとともに前記挿入スロット部の近傍にメモリカード取出し用の押しボタンを備えた画像表示装置において、
前記押しボタンはボタンの押出し操作によって前記スロット部に挿入されたメモリカードを取出すことが可能であり、
前記挿入スロット部を前記装置本体の左右いずれかの側面に配置するとともに、突出状態の前記押しボタンの上端を前記装置の前面外周縁の位置よりも装置内側に位置するように配置したことを特徴とする画像表示装置。
【請求項４】
メモリカードの挿入スロット部を装置背面に備えるとともに前記挿入スロット部の近傍にメモリカード取出し用の押しボタンを備えた画像表示装置において、
前記押しボタンはボタンの押出し操作によって前記スロット部に挿入されたメモリカードを取出すことが可能であり、
前記挿入スロット部を前記装置本体の上面に配置するとともに、突出状態の前記押しボタンの上端を前記装置の上面外周縁の位置よりも下側に位置するように配置したことを特徴とする画像表示装置。
【請求項５】
請求項１乃至４のいずれかに記載の画像表示装置において、
前記スロット部のスロット口は、前記メモリカードの有するカード面が表示画面と平行な位置関係な状態で挿入されるように設定されたことを特徴とする画像表示装置。
【請求項６】
請求項１に記載の画像表示装置において、
前記突出状態の前記押しボタンが前記装置の画面表示部を正面から見たときに視認できないようにするための手段として、押しボタンを透明体で形成したことを特徴とする画像表示装置。
【発明の詳細な説明】
【技術分野】
【０００１】
本発明は、メモリカードの挿入スロットを備えた薄型テレビ等の画像表示装置に関し、詳しくは、本体の上面または左右側面にメモリカードの挿入スロットを備えるとともに、その挿入スロット近傍にメモリカードを取り出すための押しボタンを備え、その押しボタンが前方側から視認できないよう配置した画像表示装置、薄型画像表示装置に関する。
【背景技術】
【０００２】
従来、メモリカードを使用する電子機器におけるメモリカードの挿入スロットの構造としては、特許文献１に記載のものがある。これは挿入方向を水平にしたスロット口に、いわゆるフラップドアと称される蓋が閉じ方向に付勢されて軸支されており、メモリカードを挿入したときに、その蓋がメモリカードの先端に押されて内側に回動して開く。また、メモリカードが抜き取られたときには、蓋がばね力で戻りスロット口を閉じ、スロット口からのゴミ等の異物の侵入を防止することができる。ところで、液晶テレビ等の薄型テレビでは、ユーザの多機能化の要望に応じて、テレビ本体にＰＣカードを装着可能にして、録画、録音機能を備えるようになってきた。薄型テレビの場合、本体の厚みが薄いため、ＰＣカードの挿入スロットの配置位置も制限を受け、図３に示されるように、画面の側面位置にスロット部４が配置されることがある。図４は図３のスロット部４を上方から見た平面図である。図示されるように、スロット部４には、ＰＣカード等のメモリカードが挿入されるスロット口４１が縦方向に配置され、スロット部４の下端近くに、メモリカード１０を取り出すための押しボタン４２が配置されている。
【特許文献１】実開平７−３６２５２号公報
【発明の開示】
【発明が解決しようとする課題】
【０００３】
上述したように、画像表示装置本体の側面にスロット部４を配置した場合、押しボタン４２の上端が、表示画面周囲の筐体２の縁の位置Ａよりも外側のＢの位置となり、筐体２の縁から突出して、前方にいるテレビの視聴者に、押しボタン４２の上端が視認されることになる。これは、押しボタン４２を操作する場合は位置が確認できて便利であるものの、通常時には、いわば目障りとなるものであった。また、テレビのある部屋で幼児等がボール遊びに興じるような場合、押しボタン４２がＢの位置に突出していると、ボールが誤ってテレビの方へ飛んで行ったとき、押しボタン４２に当たり破損してしまうことがおきやすいという問題もあった。また、室内でテレビの脇を歩行して通過することもあり、その場合も、押しボタン４２の先端に身体が触れて破損するおそれもあった。さらには、工場で組み立てられてからユーザの家に設置されるまでの輸送過程でも、テレビ本体から押しボタンが突出している構造であると、その部分を特に注意して破損しないように取り扱わなければならないという煩わしさがあった。いずれにしろ、押しボタン４２がテレビ本体の側面に突出していることは好ましいことではなかった。そこで、本発明は押しボタンが付属するメモリカードの挿入スロットを備えた薄型テレビ等の画像表示装置において、押しボタンの先端位置が装置本体の縁よりも後退した位置となるように配置して、見栄えをよくし、破損のおそれを少なくし、さらに輸送中の取り扱いも容易にすることを目的とした。
【課題を解決するための手段】
【０００４】
上記課題を解決するために、本発明にかかる画像表示装置では、メモリカードの挿入スロット部を装置背面に備えるとともに前記挿入スロットの近傍にメモリカード取出し用の押しボタンを備えた画像表示装置において、前記押しボタンはボタンの押出し操作によって前記スロットに挿入されたメモリカードを取出すことが可能であり、突出状態の前記押しボタンが前記装置の画面表示部を正面から見たときに視認できないようにするための手段を設けたことを特徴とする。
また本発明にかかる画像表示装置では、メモリカードの挿入スロット部を装置背面に備えるとともに前記挿入スロット部の近傍にメモリカード取出し用の押しボタンを備えた画像表示装置において、前記押しボタンはボタンの押出し操作によって前記スロット部に挿入されたメモリカードを取出すことが可能であり、突出状態の前記押しボタンの上端を前記装置の前面外周縁の位置よりも装置内側に位置するように配置したことを特徴とする。
また本発明にかかる画像表示装置では、メモリカードの挿入スロット部を装置背面に備えるとともに前記挿入スロット部の近傍にメモリカード取出し用の押しボタンを備えた画像表示装置において、前記押しボタンはボタンの押出し操作によって前記スロット部に挿入されたメモリカードを取出すことが可能であり、前記挿入スロット部を前記装置本体の左右いずれかの側面に配置するとともに、突出状態の前記押しボタンの上端を前記装置の前面外周縁の位置よりも装置内側に位置するように配置したことを特徴とする。
また本発明にかかる画像表示装置では、メモリカードの挿入スロット部を装置背面に備えるとともに前記挿入スロット部の近傍にメモリカード取出し用の押しボタンを備えた画像表示装置において、前記押しボタンはボタンの押出し操作によって前記スロット部に挿入されたメモリカードを取出すことが可能であり、前記挿入スロット部を前記装置本体の上面に配置するとともに、突出状態の前記押しボタンの上端を前記装置の上面外周縁の位置よりも下側に位置するように配置したことを特徴とする。
また本発明にかかる画像表示装置では、前記スロット部のスロット口は、前記メモリカードの有するカード面が表示画面とおおよそ平行な位置関係な状態で挿入されるように設定されたことを特徴とする。ここでいうカード面とは、メモリカードが有する面のうちもっともその面積が広い面のことを指している。
また本発明にかかる画像表示装置では、前記突出状態の前記押しボタンが前記装置の画面表示部を正面から見たときに視認できないようにするための手段として、押しボタンを透明体で形成したことを特徴とする。
【発明の効果】
【０００５】
以上述べたように本発明によれば、メモリカードの挿入スロットを備えるとともに前記挿入スロットの近傍にメモリカード取出し用の押しボタンを備えた画像表示装置において、突出状態の前記押しボタンの上端を前記装置の前面外周縁の位置よりも内側に後退させて配置したことで、前方からの見栄えが良くなり、また、外力により破損されるおそれが少なくなり、さらに輸送中の取り扱いも容易になる効果が得られる。
また、本発明にかかる画像表示装置によれば、メモリカードの挿入時に余計な奥行きを必要とすることなく挿入することができ、表示装置自身に余分な奥行きを形成する必要がなくなるという効果が得られる。
【発明を実施するための最良の形態】
【０００６】
以下、本発明の実施の形態を図面に基づいて詳細に説明する。
図１は、本発明に係る画像表示装置の実施形態の構成を示す外観図であり、図２は、図１に示すスロット部の構成を示す状態図である。本実施の主な形態として、図１のように薄型表示装置の実施例を示す。主な構成としては、映像データ等を表示するための画像表示部１、画像表示部を表示部以外で覆うように配置された筐体２、放送信号等のうち音声情報を送出するためのスピーカを内蔵し、画面の左右に配置されたスピーカーボックス３、メモリカード１０を挿入するためのスロット部４、これら一連の部材を一体的に支持するスタンド５から主に構成される。そして、ＰＣＭＣＩＡカード等の外部メモリカード１０は表示面に対し平行方向（矢印方向）に挿入できるようにし、さらにスロット口４１はその長辺方向が表示面に平行になるように、かつ、表示装置の側面に配置されている。つまり、メモリカード１０の厚み方向が薄型表示装置の厚み方向に併せて挿入できるようにすることで、薄型表示装置がメモリカードのサイズによる厚みを必要とすることが無い利点を有する。
【０００７】
さらに、本発明の画像表示装置の実施形態として図２を例に説明する。スロット部４は主に以下の部分から構成される。メモリカード１０を収納するためのスロット口４１、スロット口に収納されたカードを取出すためのカード取出しボタン４２によって構成される。取出しボタン４２はそのボタン自身を押す操作によってボタンの位置が高い状態（Ｂの状態）と低い状態（Ｂ’の状態）を有する。つまり、カード取出しボタン４２は、そのボタンを押す操作等によって２つの状態を保持するいわゆるスイッチボタンで構成される。２つの状態とは、例えばボタン４２の高さが高い状態（図２（ａ）の状態）と、低い状態（図２（ｂ）の状態）という２状態のことを指す。そして、スロット部４に挿入されたメモリカード１０は、ボタン４２が高い状態の時にボタン４２を押すときのみメモリカード１０の取出し制御がなされるようにする。このとき、例えばボタン４２が高い状態の時はメモリカード１０への記録が不可能になるようにマイコン等（図示せず）で制御され、低い状態の時はメモリカード１０への記録が可能になるように制御するようにしている。
【０００８】
このようなカード取出し時の制御が加わることによって、ボタン４２が低い状態の時にボタン４２を押す操作を行うと、ボタン４２が高い状態になるのと同時に、メモリカード１０の書込み操作が強制的に中断される。そして、その後にボタン４２の高い状態でボタン４２を再度押すとメモリカード１０が取出される。これにより、最初のボタン４２を押す操作によって確実にメモリカード１０への書込み／読み込み作業が中断され、更に２回目のボタン押下操作によってカードが取出されるという2
段階の操作でカードが取出される。
【０００９】
よって、メモリカード１０の性急な取出し操作による書込みエラーをおこすことがなく、メモリカード１０に書き込まれた情報を保護することができる。つまり、上記のようなカードの取出し機構においては、反対にカードアクセス可能な状態をつくるためには、メモリカード１０が挿入されていることと、かつ、カード取出しボタン４２が低い状態であることが必要な条件となり、カード取出しボタン４２がスイッチボタンを採用するに至った理由は以上の内容のとおりである。
【００１０】
そして、本発明における実施形態としては、このようなカード取出しボタン４２のスイッチの状態に関係なく、このボタン４２が映像を正面から視聴しているユーザーから見えないようにする手段を設けたことを特徴としている。具体的な構成を以下に示す。
【００１１】
スピーカーボックス３のキャビネット前面３１の背面にスロット部４を配置し、図１のようにメモリカード１０と表示装置の厚み方向が略同じ向きの状態で挿入されるようにスロット部４のスロット口４１が設けられている。カード取出しボタン４２はこのスロット口４１の隣に配置され、そのボタン４２を押す方向がメモリカード１０の挿入方向と平行になるように配置されている。この取出しボタン４２はそれ自身を押す操作によってカードスロット口４１から飛び出た位置（図２の位置Ｂ）になるが、この状態でも、ボタンの突出した位置Ｂはスピーカーボックス３のキャビネット前部３１の縁の位置（図２の位置Ａ）を超えないように配置されている。これにより、カード取出しボタン４２が表示画面前方から常に見えない状態を形成することができる。
【００１２】
また、このスロット部４は薄型表示装置の前面全体が形成する占有領域（領域Ｓ：図１の太破線枠）に対し、その縁の付近に形成されており、またこの取出しボタン４２が低い状態から高い状態に状態変化する時の変化の方向も、先程の占有領域Ｓが有する取出しボタン４２に最も近い一辺（Ｌ：図１の範囲指定部分）に対し垂直に配置されるように構成されている。スロット部４が薄型の画像表示装置の側面に配置されていることで、薄型表示装置の前面側にいるユーザが表示部の側面に手を触れればすぐメモリカード１０の挿入位置を確認することができるメリットがある。
【００１３】
しかしながら、取出しボタン４２がその縁から突出しないことが上述の前提条件となるので、スロット部４は、画像表示装置のサイズにもよるが、その縁から数センチ程度奥まった位置に配置されるのが良い。一方、取出しボタン４２の配置について上記のような特徴を設けたことによって、ユーザーが側面に手を触れたときの状態でユーザーの親指以外の指は、大抵占有領域Ｓが有する取出しボタン４２に最も近い一辺（Ｌ）に対し略垂直方向に向いていることが多い。従って、その指の方向に対向させるようにボタン４２を配置させれば、装置の側面に触れたときにその位置をすぐ認識でき、ユーザーがこのボタン４２を押す操作のために手の位置を移動させる動作が入る必要がなくなる。
【００１４】
尚、上記実施形態では「薄型の画像表示装置の側面」を表す例として、薄型の画像表示装置の右側面にスロット部４を設けた構成としているが、ここでいう側面とは右側面に限定されること無く、薄型画像表示装置の左側、上側あるいは下側の側面に配置されていても良い。特に上側側面に配置することによって、メモリカードを上側から挿入する構成なので、メモリカードの取出し操作において、カードが不用意に飛び出て落としてしまうという問題を回避することができる。
【００１５】
尚、このカード取出しボタン４２の突出した状態の位置が視聴者から常に見えない状態を形成する手段としては、上記のようにスピーカーボックス３の前面に対してこのボタン４２が隠れた構造であることに限定されず、例えば、カードスロット口が表示装置の上側に配置されている場合は、このボタンが上側に突出する状態を有するので、キャビネット前側の縁が形成する面から突出しないようにキャビネット上側の縁を高く形成させるようにすればよい。また、単純に視聴者から常に見えない状態を形成するための手段としては、この他に、この押しボタンの素材を正面から見たときに視認できないようにするために、押しボタンをアクリル材等の透明体で形成したことを特徴とする。このような手法によって、押しボタンがユーザに視認できないため、ユーザにとって表示装置全体の美観を損なわせないようにさせることも可能となる。
【００１６】
なお、メモリカード１０の現状の一般的仕様としては、ＰＣ−ＡＴＡカードタイプへの搭載が考えられる。ＰＣ−ＡＴＡカードを用いた場合には、カード取出しボタンによるカード取り出し作業においてプロテクト機能が別段設けられてないことが多いからである。しかしながら本発明に主旨としてはＰＣ−ＡＴＡカードタイプ以外であってもこれに限定するものではない。
【００１７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【産業上の利用可能性】
【００１８】
本発明は、画像表示装置以外には、メモリカードの挿入スロットおよびカード取出しボタンを備えたその他の電子機器に利用可能である。
【図面の簡単な説明】
【００１９】
【図１】本発明に係る画像表示装置の実施の形態の構成を示す外観図である。
【図２】図１に示すスロット部の構成を示す状態図である。
【図３】従来例を示す斜視図である。
【図４】図３の平面図である。
【符号の説明】
【００２０】
１：画像表示部、２：筐体、３：スピーカーボックス、４：スロット部、４１：スロット口、４２：カード取出しボタン、５：スタンド、１０：メモリカード
【図１】
2005198042.tif 000003
【図２】
2005198042.tif 000004
【図３】
2005198042.tif 000005
【図４】
2005198042.tif 000006